(57)【要約】　　　（修正有）【課題】節水を行い、しかも、一般の水洗トイレに容易に適用できる水洗トイレの貯水量調整装置を提供する。【解決手段】水洗用の水を貯留するタンク１と、タンク１内に設けられたフロート８と、そのフロート８に連結したフロートアーム７と、そのフロートアーム７の基端に設けられた給水弁機構６とを備えた水洗トイレＡにおいて、フロートアーム７に、フロートの上下方向の位置を調整する回動部１１により満水時の貯水水位を調整する。【選択図】　　　　図１
0003097005.tif 000002
【実用新案登録請求の範囲】
【請求項１】
水洗用の水を貯留するタンクと、タンク内に設けられたフロートと、そのフロートに連結したフロートアームと、そのフロートアームの基端に設けられた給水弁機構とを備えた水洗トイレにおいて、
フロートアームに、フロートの上下方向の位置を調整する位置調整部を備えたことを特徴とする水洗トイレの節水用フロートアーム。
【請求項２】
フロートアームに回動部を形成し、その回動部を回動させて、フロートの上下位置を調整することを特徴とする請求項１記載の水洗トイレの節水用フロートアーム。
【請求項３】
フロートアームの中間部分に盤面同士を接合させて螺子で結合した回動部を形成し、その盤面同士の間にゴム板を挟み込んだことを特徴とする請求項２記載の水洗トイレの節水用フロートアーム。
【考案の詳細な説明】
【０００１】
【考案の属する技術分野】
本考案は、水洗トイレのタンクの満水時の貯水水位を低く抑える節水用フロートアームに関する。
【０００２】
【従来の技術】
従来より、一般家庭、公衆トイレ等に設置される水洗式便器は、ハンドルを回転させると水洗を行い、その後は水の導入が自動的に行われる構成となっている。そして、これらの水洗式便器に用いられる給水タンクは、所定量の水が溜まるとフロートが上昇して、その上昇に連動して給水弁が閉じて水の供給を止める機構を持つものである。
これらの水洗トイレは日常的に使用される結果、わずかな過剰水も長期に渡ると大量の無駄が生じてしまう。
そのため、排出水量を低く抑えるために、タンク内に主にスペーサー（主に発泡スチロール）を貼り付けてタンクの容量を減少させる方式、または、排出弁（タンクボール）の上に錘を載せ、排出弁の閉鎖を早める方法等が採用されている。
【０００３】
【考案が解決しようとする課題】
しかしながら、タンク内にスペーサーを配置する方法は新たな加工を必要とし、手間を要すると共に、水量の微調整ができないという問題があった。
また、タンクボールの上に錘を載せる方法は錘の重量を変えることにより、排水量を調整できるが、排出操作ハンドルの作動誤差によりバルブの閉塞動作に誤差を生じ、確実な節水ができないという問題があった。
本考案は係る従来の問題点を解決するためになされたものであって、その目的とするところは、フロートアームにフロートの上下位置を調整する位置調整部を形成することによって、満水時の貯水水位を調整して節水を行い、しかも、一般の水洗トイレに容易に適用できる水洗トイレの貯水量調整装置を提供することにある。
【０００４】
【課題を解決するための手段】
前記目的を達成するための手段として本考案請求項１記載の水洗トイレの節水用フロートアームでは、水洗用の水を貯留するタンクと、タンク内に設けられたフロートと、そのフロートに連結したフロートアームと、そのフロートアームの基端に設けられた給水弁機構とを備えた水洗トイレにおいて、フロートアームに、フロートの上下方向の位置を調整する位置調整部を備えている。
【０００５】
請求項２記載の水洗トイレの節水用フロートアームでは、請求項１記載の水洗トイレの節水用フロートアームにおいて、フロートアームに回動部を形成し、その回動部を回動させて、フロートの上下位置を調整する構成とした。
【０００６】
請求項３記載の水洗トイレの節水用フロートアームでは、請求項２記載の水洗トイレの節水用フロートアームにおいて、フロートアームの中間部分に盤面同士を接合させて螺子で結合した回動部を形成し、その盤面同士の間にゴム板を挟み込んでいる。
【０００７】
【考案の実施の形態】
以下、図面に基づいて本考案の実施の形態を説明する。
図１は水洗トイレの一部切り欠き斜視図、図２はタンクの切り欠き側面図、図３はフロートアームの側面図、図４はフロートアームの回動部の平面図である。例えば、水洗式トイレＡのタンク１の場合、図１、図２に示すように、タンク１の底部には便器２に通じる排水口３が設けられており、この排水口３はゴムフロート４によって封じられている。便器２を使用した後はタンク１側部のハンドルをひねり、ゴムフロート４を吊り下げているワイヤーを引っぱることによって、ゴムフロート４を引き上げてタンク１内の水を便器２へ排出する。
【０００８】
タンク１上方には水を導入する給水管５が接続されており、この給水管５は、タンク１のハウジングを貫通して、その先端がタンク内に突出し、タンク内に給水を行う。この給水管５には給水弁機構６（ボールタップ）が設けられており、所定の水位にタンク内が達した後はタンク１内への水の導入を遮断する。
前記給水弁機構６はフロートアーム７に接続して、その先端にフロート８が備えられており、給水弁機構６の弁はフロートアーム７に連動して、開閉を行い、フロートアーム７とフロート８の上昇に伴って、弁を閉鎖する構成となっている。
【０００９】
タンク１内で、フロート８が水に浸かっていないときは、フロート８は自重で下方に垂れ下がっている。即ちフロート８の重みでフロートアーム７後端は、下方に下がって給水弁機構を開放して水を導入する。
フロート８が水位の上昇と共に浮力を生じて上昇すると、フロートアーム７の後端が給水弁機構６の弁を閉鎖して水を停止させる。
【００１０】
このような、ロータンク方式の給水弁機構６は、フロートアーム７を介してフロート８の上下動により、タンク１内の貯水が行われるが、フロート８の浮力によりそれが最浮上した位置で給水弁機構６は給水を停止し、タンク１内の貯水レベルは常に一定に保たれる構成となっている。
【００１１】
１０はオバーフロー用の即ち所定水位を保つために余分な水を排水側へ落とすための、筒状体を示している。この筒状体１０を設けることによって、筒状体１０の上端に達した水を排水側へ落とすことが可能となり、水が筒状体１０の高さを越えることがなく、水がタンク１の上方から溢れるということがない。
【００１２】
前記フロートアームは図３、図４に示すように、直状の金属あるいは硬化樹脂等によって構成されるロッドであり、中央部分には盤面を対面させて接合した回動部１１が形成されている。
前記フロートアーム７は給水弁機構６に接続される基端側ロッド１２と、フロート８に接続する先端側ロッド１３によって構成され、それぞれのロッド１２，１３は接合部分が円盤状に広がり、その円盤同士が対面して接合されている。
それぞれの円盤の中心には螺子１４の挿通孔が形成され、その挿通孔に螺子１４を挿通してナット１５とによって盤面同士が締結されている。そして、螺子１４を中心として回動自在にロッド１２，１３が接合されている。
尚、円盤同士の間にはゴム盤１６が挟み込まれて、締結力の強化とずれの防止がなされている。
【００１３】
前記フロート８は合成樹脂からなる中空の球形又は楕円形状の浮きであり、フロート８を上部に位置させれば、給水弁機構６の機構が一定でもタンク１内の貯水水位は高くなり使用水量は多く、フロート８を下部に位置させれば、水位は低くなり、使用水量を減少させることができる。
これらのフロート８の上下位置の調整は前記回動部１１を回動させて、フロートアーム７を屈曲させて行う。
すなわち、フロートアーム７の回動部１１を回動させてフロート８の位置を低い位置に調整することにより、水位の低い段階でフロートアーム７が給水弁機構６を閉鎖する。そのため、満水時の水位を低く保つことができる。
反対に、フロート８の位置を高い位置に調整することにより、水位が高くなるまで、フロートアーム７が給水弁機構６を閉鎖しない。そのため満水時の水位を高く保つことができる。
このようなフロートアーム７を一般の水洗トイレのフロート８に適用することにより、水位を低く調整することが可能となり、その結果、洗浄水を減少させて節水を行うことができる。
【００１４】
以上、本考案の実施の形態を説明してきたが、本考案の具体的な構成は本実施の形態に限定されるものではなく、考案の要旨を逸脱しない範囲の設計変更等があっても本考案に含まれる。
例えば、前記実施の形態では、回動部を円盤状に形成したが、回動の構成としては、蝶番等の他の機構を採用することも可能である。
また、適用タンクに合わせて、左右方向に回動する回動部を備えることも可能である。
【００１５】
【考案の効果】
以上説明したように、本考案の水洗トイレの節水用フロートアームにおいては、フロートアームに、フロートの上下方向の位置を調整する位置調整部を備えたので、一般的タンクにおいて、貯水水位の変更が可能となり、一般家庭のトイレ、公衆トイレ等に適用して高い節水効果を得ることができる。
また、位置調整部を調整するのみで、貯水水位の変更して節水をすることが可能であり、容易に取付け調整を行うことができる。
また、位置調整部の回動部分にはゴム盤を挟み込んでいるので、回動部のずれを防止すると共に、微調整も可能となる。
【図面の簡単な説明】
【図１】水洗トイレの一部切り欠き斜視図である。
【図２】タンクの切り欠き側面図である。
【図３】フロートアームの側面図である。
【図４】フロートアームの回動部の平面図である。
【符号の説明】
Ａ　水洗式トイレ
１　タンク
２　便器
３　排水口
４　ゴムフロート
５　給水管
６　給水弁機構
７　フロートアーム
８　フロート
１０　筒状体
１１　回動部
１２　基端側ロッド
１３　先端側ロッド
１４　螺子
１５　ナット
１６　ゴム盤
【図１】
0003097005.tif 000003
【図２】
0003097005.tif 000004
【図３】
0003097005.tif 000005
【図４】
0003097005.tif 000006